(57)【要約】【課題】任意のＩＳＯ感度、露光時間、絞りの値で、任意の回数の撮影を連続して行い、得られた複数のデータを自動的に合成するモードを有し、移動体と静止物の露出制御を任意に行うこと。【解決手段】任意のＩＳＯ感度、露光時間、絞りの値で、任意の回数の撮影を連続して行い、得られた複数のデータを自動的に合成するモードを有し、移動体と静止物の露出制御を任意に行う。【選択図】  図１
2011015448.tif 000002
【特許請求の範囲】
【請求項１】
任意のＩＳＯ感度、露光時間、絞りの値で、任意の回数の撮影を連続して行い、得られた複数のデータを自動的に合成するモードを有し、合成アルゴリズムは、ＡｄｏｂｅＰｈｏｔｏｓｈｏｐにおいて比較（明）と呼ばれる方式を基本として、撮影者がカスタマイズすることができる機能を有することを特徴とするデジタルカメラ。
【請求項２】
請求項１に記載のデジタルカメラにおいて、
合成アルゴリズムのカスタマイズは、比較（明）による合成結果に対して、一定の割合で画像上の同一位置の画素データを加算することを基本とするが、その他の別のアルゴリズムも選択でき、加えて、パーソナルコンピュータでさらに細かく設定した、合成アルゴリズムの設定データをカメラにインストールすることができる機能を有することを特徴とするデジタルカメラ。
【請求項３】
請求項２に記載のデジタルカメラにおいて、
その出力するデータのセットを、合成前の複数画像セットのみ、合成前の複数画像セットと合成結果、合成結果のみ、のいずれかから選択できる機能を有し、加えて、ＲＡＷデータの合成機能を有し、いずれのデータのセットの場合でも、データ形式をＲＡＷとＪＰＥＧの両形式から選択できる機能を有することを特徴とするデジタルカメラ。
【請求項４】
請求項３に記載のデジタルカメラにおいて、
ダーク減算によるノイズ低減機能を有し、ダーク減算によるノイズ低減機能の有効、無効を切り替えることが可能で、ダーク減算用のダーク画像データを撮影データと同時に記録する機能を有することを特徴とするデジタルカメラ。
【請求項５】
請求項４に記載のデジタルカメラにおいて、
ベイヤー配列の撮像データからＲＧＢ画像データに変換する際、星のような点像の細りが起こらない現像モードを有し、その現像モードの有効・無効を切り替えることができる機能を有することを特徴とするデジタルカメラ。
【請求項６】
請求項５に記載のデジタルカメラにおいて、
カメラ内処理のバッファ領域として、撮影データの記録媒体を利用できる機能を有することを特徴とするデジタルカメラ。
【請求項７】
請求項６に記載のデジタルカメラにおいて、
合成アルゴリズムをカスタマイズできるパーソナルコンピュータで動作するソフトウエア、ＲＡＷデータの段階で合成操作ができるパーソナルコンピュータで動作するソフトウエア、別撮りしたダーク画像を使用してダーク減算によるノイズ低減を実行できるパーソナルコンピュータで動作するソフトウエア、点像の細りが起こらない現像モードを有するパーソナルコンピュータで動作する現像ソフトウエアが付属することを特徴とするデジタルカメラ。
【発明の詳細な説明】
【技術分野】
【０００１】
本発明は、任意のＩＳＯ感度、露光時間、絞りの値で、任意の回数の撮影を連続して行い、得られた複数のデータを自動的に合成するモードを有し、移動体と静止物の露出制御を任意に行うことができるデジタルカメラに関するものである。
【背景技術】
【０００２】
写真の露出（明暗の程度）は、静止物に対しては、ISO感度、絞り、露光時間（シャッター速度）の組み合わせで決まる。
【０００３】
一方、星やホタル、走行する自動車のヘッドライトなどの移動体は、その物体がその物体の大きさ以上に移動する時間より長い露光時間を与えると、その露出は露光時間に依存しなくなり、ISO感度、絞りの組み合わせで決まる。
【０００４】
例を挙げると、ホタルの光跡を長時間露光（概ね数秒以上）で捉えた場合、露光時間を長くしても移動体であるホタルの光跡の明るさは変わらない。一方、ホタルの背景に写る樹木や草地などは静止物であるので、露光時間を長くするほど明るく写るようになる。
【０００５】
一般的には露光時間を長くするほど、星の光跡を長く写したり、ホタルの光跡を多数写しとることができるが、静止物である背景は露光時間に応じて無制限に明るくなるので、いくらでも露光時間を長くすると写真としては破綻してしまう。
【０００６】
また、デジタルカメラの、長時間露光時にはノイズが極端に増加するという特性からも、長時間露光には限度がある。
【０００７】
近年は、デジタルカメラやコンピュータ機器の普及により、同一アングルで短時間露光したカットをパソコンで合成する、現場撮影とコンピュータの後処理を組み合わせた撮影手法が可能となった。
【０００８】
この手法を用いると、静止物と移動体の露出を任意にコントロールできるようになる。
【０００９】
具体的には、極めて長い星の軌跡を背景を暗く保ったまま表現したり、従来技法ではほとんど写らなかった暗い星の軌跡を写しとることができる。
【００１０】
なお、ここで言う短時間露光とは、概ね数秒から数十秒の範囲であるが、表現意図によってはそれ以外の露光時間を選択する場合がある。
【先行技術文献】
【特許文献】
【００１１】
【特許文献１】特開２００３−６９８８８号公報
【特許文献２】特開２００６−３５２２２９号公報
【特許文献３】特開２００３−３３３４１６号公報
【発明の概要】
【発明が解決しようとする課題】
【００１２】
本発明は、任意のＩＳＯ感度、露光時間、絞りの値で、任意の回数の撮影を連続して行い、得られた複数のデータを自動的に合成するモードを有し、移動体と静止物の露出制御を任意に行うことができるデジタルカメラを提供する。
【課題を解決するための手段】
【００１３】
上記課題を解決するため、請求項１の発明のデジタルカメラは、
任意のＩＳＯ感度、露光時間、絞りの値で、任意の回数の撮影を連続して行い、得られた複数のデータを自動的に合成するモードを有し、合成アルゴリズムは、ＡｄｏｂｅＰｈｏｔｏｓｈｏｐ（登録商標）において比較（明）と呼ばれる方式を基本として、撮影者がカスタマイズすることができる機能を有することを特徴とする。
【００１４】
また、請求項２の発明は、請求項１に記載のデジタルカメラにおいて、
合成アルゴリズムのカスタマイズは、比較（明）による合成結果に対して、一定の割合で画像上の同一位置の画素データを加算することを基本とするが、その他の別のアルゴリズムも選択でき、加えて、パーソナルコンピュータでさらに細かく設定した、合成アルゴリズムの設定データをカメラにインストールすることができる機能を有することを特徴とする。
【００１５】
また、請求項３の発明は、請求項２に記載のデジタルカメラにおいて、
その出力するデータのセットを、合成前の複数画像セットのみ、合成前の複数画像セットと合成結果、合成結果のみ、のいずれかから選択できる機能を有し、加えて、ＲＡＷデータの合成機能を有し、いずれのデータのセットの場合でも、データ形式をＲＡＷとＪＰＥＧの両形式から選択できる機能を有することを特徴とする。
【００１６】
また、請求項４の発明は、請求項３に記載のデジタルカメラにおいて、
ダーク減算によるノイズ低減機能を有し、ダーク減算によるノイズ低減機能の有効、無効を切り替えることが可能で、ダーク減算用のダーク画像データを撮影データと同時に記録する機能を有することを特徴とする。
【００１７】
また、請求項５の発明は、請求項４に記載のデジタルカメラにおいて、
ベイヤー配列の撮像データからＲＧＢ画像データに変換する際、星のような点像の細りが起こらない現像モードを有し、その現像モードの有効・無効を切り替えることができる機能を有することを特徴とする。
【００１８】
また、請求項６の発明は、請求項５に記載のデジタルカメラにおいて、
カメラ内処理のバッファ領域として、撮影データの記録媒体を利用できる機能を有することを特徴とする。
【００１９】
また、請求項７の発明は、請求項６に記載のデジタルカメラにおいて、
合成アルゴリズムをカスタマイズできるパーソナルコンピュータで動作するソフトウエア、ＲＡＷデータの段階で合成操作ができるパーソナルコンピュータで動作するソフトウエア、別撮りしたダーク画像を使用してダーク減算によるノイズ低減を実行できるパーソナルコンピュータで動作するソフトウエア、点像の細りが起こらない現像モードを有するパーソナルコンピュータで動作する現像ソフトウエアが付属することを特徴とする。
【発明の効果】
【００２０】
本発明のデジタルカメラによれば、移動体と静止物の任意の露出制御を、デジタルカメラ内の処理だけで簡単に実現できるほか、パーソナルコンピュータを併用することで、より柔軟で精度の高い結果を得ることができる。
【図面の簡単な説明】
【００２１】
【図１】本発明による撮影モードの設定画面の例を示す図である。
【発明を実施するための形態】
【００２２】
図１は、本発明によるデジタルカメラの撮影モードの設定画面の例を示す図である。
【図１】
2011015448.tif 000003